(57)【要約】【課題】取付け箇所の作業スペース等に応じて勾配を変化させて容易に設置することのできる仮設ステップ階段を提供する。【解決手段】両側に配置される一対の段受け支持材１４に両端を支持されてステップ板１５が複数段取り付けられ、建物の工事中に上階部分１２と下階部分１１の間で昇降を行うために用いる仮設ステップ階段１０であって、段受け支持材１４は、軸方向Ｘに伸縮スライド可能となっており、且つステップ板１５は、少なくとも上部又は下部の一部が、段受け支持材１４から取り外し可能となっている。一対の段受け支持材１４は、各々、平行に配置された上側段受け部材１４ａと下側段受け部材１４ｂとからなり、各ステップ板１５の両端は、上側段受け部材１４ａ及び下側段受け部材１４ｂの各下端１６から等距離おいた部分に回転可能にピン接合されて、平行に配置された状態で支持されている。【選択図】図２
2008208665.tif 000002
【特許請求の範囲】
【請求項１】
両側に配置される一対の段受け支持材に両側端を支持されてステップ板が複数段取り付けられ、建物の工事中に上階部分と下階部分の間で昇降を行うために用いる仮設ステップ階段であって、
前記段受け支持材は、軸方向に伸縮スライド可能となっており、且つ前記ステップ板は、少なくとも上部又は下部の一部が、前記段受け支持材から取り外し可能となっている仮設ステップ階段。
【請求項２】
前記一対の段受け支持材は、各々、平行に配置された上側段受け部材と下側段受け部材とからなり、各ステップ板の両側端は、前記上側段受け部材及び前記下側段受け部材の各下端から等距離おいた部分に回転可能にピン接合されて、平行に配置された状態で支持されている請求項１に記載の仮設ステップ階段。
【発明の詳細な説明】
【技術分野】
【０００１】
本発明は、仮設ステップ階段に関し、特に、両側に配置される一対の段受け支持材に両側端を支持されてステップ板が複数段取り付けられ、建物の工事中に上階部分と下階部分の間で昇降するために用いる仮設ステップ階段に関する。
【背景技術】
【０００２】
例えば木造の住宅建築物等の建物の工事中に、上階部分と下階部分の間で作業員が昇降するための手段として、一般に梯子が用いられている。また、梯子は、手軽に設置し直して用いることができる反面、昇降時の安定性に欠けるため、梯子よりも幅の広い踏み板（ステップ板）を用いた仮設階段も開発されている（例えば、特許文献１参照）。
【特許文献１】実開平６−６２０９２号公報
【発明の開示】
【発明が解決しようとする課題】
【０００３】
しかしながら、仮設階段は、両側に配置した一対の段受け支持材に複数のステップ板を階段状に支持させて、強固に形成されるものであり、梯子のように手軽に設置し直したり、取付け箇所の作業スペース等に応じて勾配を変化させて設置することは困難である。
【０００４】
本発明は、このような従来の課題に着目してなされたものであり、取付け箇所の作業スペース等に応じて勾配を変化させて容易に設置することのできる仮設ステップ階段を提供することを目的とする。
【課題を解決するための手段】
【０００５】
本発明は、両側に配置される一対の段受け支持材に両側端を支持されてステップ板が複数段取り付けられ、建物の工事中に上階部分と下階部分の間で昇降を行うために用いる仮設ステップ階段であって、前記段受け支持材は、軸方向に伸縮スライド可能となっており、且つ前記ステップ板は、少なくとも上部又は下部の一部が、前記段受け支持材から取り外し可能となっている仮設ステップ階段を提供することを目的とする。
【０００６】
また、本発明の仮設ステップ階段では、前記一対の段受け支持材は、各々、平行に配置された上側段受け部材と下側段受け部材とからなり、各ステップ板の両側端は、前記上側段受け部材及び前記下側段受け部材の各下端から等距離おいた部分に回転可能にピン接合されて、平行に配置された状態で支持されていることが好ましい。
【発明の効果】
【０００７】
本発明の仮設ステップ階段によれば、取付け箇所の作業スペース等に応じて勾配を変化させて容易に設置することができる。
【発明を実施するための最良の形態】
【０００８】
本発明の好ましい一実施形態に係る仮設ステップ階段１０は、図１（ａ），（ｂ）及び図２（ａ），（ｂ）に示すように、建物として例えば木造の住宅建築物の工事中に、１階の土間１１と２階のフロア１２との間で、当該仮設ステップ階段１０を用いて昇降する際に、必要に応じて仮設ステップ階段１０の勾配を変化させることにより、例えば土間１１における仮設ステップ階段１０の側方部分を介した動線Ｄを経て作業員が仮設ステップ階段１０に立ち入ったり、仮設ステップ階段１０から土間１１に出たりするためのスペース１３（図２（ａ），（ｂ）参照）を確保できるようにするものである。すなわち、本実施形態では、仮設ステップ階段１０の正面側の部分に壁部材２０を取り付ける前の状態では、仮設ステップ階段１０の正面側から足場板等を介して仮設ステップ階段１０に立ち入ることが可能であったが（図１（ａ），（ｂ）参照）、壁部材２２を取り付けた後は、正面側から仮設ステップ階段１０に立ち入ることができなくなるため、仮設ステップ階段１０を勾配を代えて設置し直して、仮設ステップ階段１０と壁部材２２との間にスペース１３を確保することにより、仮設ステップ階段１０を介して１階の土間１１と２階のフロア１２との間で昇降できるようにする。
【０００９】
そして、本実施形態の仮設ステップ階段１０は、両側に配置される一対の段受け支持材１４に両側端を支持されてステップ板１５が複数段取り付けられ、建物の工事中に上階部分（２階のフロア１２）と下階部分（１階の土間１１）の間で昇降を行うために用いる仮設の階段であって、段受け支持材１４は、例えばその上部において軸方向Ｘに伸縮スライド可能となっており、且つステップ板１５は、少なくとも上部の一部が、段受け支持材１４から取り外し可能となっている。
【００１０】
また、本実施形態では、一対の段受け支持材１４は、各々、平行に配置された上側段受け部材１４ａと下側段受け部材１４ｂとからなり、各ステップ板１５の両側端は、図３に示すように、上側段受け部材１４ａ及び下側段受け部材１４ｂの各下端１６から等距離おいた部分に回転可能なピン接合部２０により接合されて、等ピッチで平行に配置された状態で支持されている。
【００１１】
本実施形態では、図１（ｂ）及び図２（ｂ）に示すように、各段受け支持材１４を構成する上側段受け部材１４ａ及び下側段受け部材１４ｂは、各々例えば金属製のパイプ部材からなり、その上部において、例えば径の大きな下方パイプ部材に径の小さな上方パイプ部材が擦動可能に重なるように挿入されて、軸方向Ｘに伸縮スライド可能な構造を有している。また、下側段受け部材１４ｂの上端部には、当該上端部に回転可能にピン接合されて、下側段受け部材１４ｂに対してくノ字状に折れ曲がることが可能な、固定金物１７が連結しており、この固定金物１７を介して、例えば固定ボルト１８等により下側段受け部材１４ｂの上端部を２階のフロア１２に固定することができるようになっている。さらに、上側段受け部材１４ａ及び下側段受け部材１４ｂの下端部には、当該下端部に回転可能にピン接合されて、接地金物１９が取り付けられており、これらの接地金物１９を介して、各段受け支持材１４ａ，１４ｂの下端部１６を、安定した状態で土間１１から支持させることができるようになっている。
【００１２】
ステップ板１５としては、例えば金属製や合成樹脂製の公知の各種の踏み板を用いることができる。各ステップ板１５は、図３に示すように、その側端面の先端側を段受け支持材１４の上側段受け部材１４ａに、後端側を段受け支持材１４の下側段受け部材１４ａに、公知の各種のピン部材を用いてピン接合部２０で接合することにより、上側段受け部材１４ａ及び下側段受け部材１４ｂに対して回転可能に取り付けられる。これによって、各ステップ板１５は、上下方向に１８〜２４ｃｍ程度の間隔をおいて平行に配置されると共に、段受け支持材１４の土間１１に対する勾配を変化させた場合でも、これらの間の間隔を僅かに変化させつつ、平行に配置された状態を保持することになる。また、本実施形態では、少なくとも上部に配置される２〜３段のステップ板１５が、例えば上側段受け部材１４ａ及び下側段受け部材１４ｂの内側面に設けたピン孔に着脱用の切欠きを設ける等の公知の各種の手段によって、段受け支持材１４に対して着脱可能に取り付けられている。
【００１３】
なお、本実施形態によれば、仮設ステップ階段１０の両側部に沿って、例えば段受け支持材１４の上側段受け部材１４ａに支柱２１ａを溶着固定して、手摺２１が取り付けられている。
【００１４】
そして、上述の構成を備える本実施形態の仮設ステップ階段１０によれば、段受け支持材１４は、その上部において軸方向Ｘに伸縮スライド可能な構造を有しており、かつ少なくとも上部に配置される２〜３段のステップ板１５が、段受け支持材１４から取り外し可能となっているので、例えば図１（ａ），（ｂ）に示す緩い勾配から、図２（ａ），（ｂ）に示す、仮設ステップ階段１０と壁部材２２との間にスペース１３を確保した急勾配となるように仮設ステップ階段１０を設置し直す際に、各ステップ板１５の両側端と上側段受け部材１４ａ及び下側段受け部材１４ｂとのピン接合部２０を回転させつつ、仮設ステップ階段１０の上端部を２階のフロア１２よりも上方に突出させながら段受け支持材１４の下端部１６の接地金物１９を壁部材２２から離れるようにずらして設置すると共に、上端部の２階のフロア１２よりも上方に突出した部分を、当該突出した部分のステップ板１５を取り外して段受け支持材１４を伸縮させ、再び固定金物１７を２階のフロア１２に固定することにより、容易に仮設ステップ階段１０を急勾配に設置し直すことが可能になる。
【００１５】
したがって、本実施形態の仮設ステップ階段１０によれば、取付け箇所の作業スペース等に応じて勾配を変化させて容易に設置することができる。
【００１６】
なお、本発明は上記実施形態に限定されることなく種々の変更が可能である。例えば上述とは逆の手順で、伸長した段受け支持材の上部にステップ板を追加して取り付けつつ、仮設ステップ階段を急勾配から緩い勾配に設置し直すことも容易である。また、段受け支持材は、平行に配置された上側段受け部材と下側段受け部材とからなるものである必要は必ずしもない。さらに、段受け支持材は、上部以外の例えば下部で軸方向に伸縮スライド可能となっていても良く、ステップ板は、少なくとも下部の一部が段受け支持材から取り外し可能となっていても良い。
【図面の簡単な説明】
【００１７】
【図１】本発明の好ましい一実施形態に係る仮設ステップ階段を緩い勾配で設置した状態を説明する（ａ）は平面図、（ｂ）は側面図である。
【図２】本発明の好ましい一実施形態に係る仮設ステップ階段を急勾配で設置した状態を説明する（ａ）は平面図、（ｂ）は側面図である。
【図３】段受け支持材へのステップ板の取付け状況を説明する部分側面図である。
【符号の説明】
【００１８】
１０  仮設ステップ階段
１１  １階の土間（下階部分）
１２  ２階のフロア（上階部分）
１３  作業員の動線を確保するためのスペース
１４  段受け支持材
１４ａ  上側段受け部材
１４ｂ  下側段受け部材
１５  ステップ板
１６  段受け支持材の下端部
１７  固定金物
１８  固定ボルト
１９  接地金物
２０  ピン接合部
２１  手摺
２２  壁部材
Ｄ    作業員の動線
Ｘ    段受け支持材の軸方向
【図１】
2008208665.tif 000003
【図２】
2008208665.tif 000004
【図３】
2008208665.tif 000005